【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
少なくとも１つの製品に関して真水の量を測定することにより、真水への投資に関して真水の安定したインデックス値を作成する方法であって、
水ではない少なくとも１つの製品に物理的に含まれる真水の量を測定するステップと、
前記物理的に含まれる真水の量をコンピュータに記憶するステップと、
前記少なくとも１つの製品を生産するために利用される水量を測定し、前記少なくとも１つの製品を生産するために利用される水量をコンピュータに記憶するステップと、
コンピュータに、前記少なくとも１つの製品の現行価格に関するデータを取得させ記憶させるステップと、
コンピュータを用いて、前記少なくとも１つの製品の現行価格に基づき、さらに、前記少なくとも１つの製品に物理的に含まれる前記真水の量と前記少なくとも１つの製品を生産するために利用される水量とのうちの少なくとも１つに基づき、真水の現行インデックス値を決定するステップと、
それにより、真水の安定価格を表す安定したインデックス値を作成するステップと
を含む方法。
【請求項２】
真水の特定量に関して発行可能な金融証券の価格を決定し、コンピュータ・プロセッサを用いてその価格を真水のインデックス値と真水の特定量とから計算するステップと、
その額面に真水の量を特定する金融証券を発行するステップであって、前記真水の量の価格が、前記真水の量および前記真水の安定的な価格の関数であるステップと
をさらに含む、請求項１に記載の方法に基づく投資方法。
【請求項３】
前記金融証券の額面の真水の量の担保として真水を用いるステップをさらに含む、請求項２に記載の方法。
【請求項４】
少なくとも１つの商品に関して真水の量を測定することによって、真水の安定した価格を取得する方法であって、
水ではない少なくとも１つの商品に物理的に含まれる真水の量を物理的に測定することにより、少なくとも１つの商品に物理的に含まれる真水の量を測定するステップと、
前記少なくとも１つの商品に物理的に含まれる真水の量をコンピュータに記憶するステップと、
コンピュータに、前記少なくとも１つの商品の現行価格に関するデータを取得させ記憶させるステップと、
コンピュータを用いて、前記少なくとも１つの商品の現行価格に基づき、さらに前記少なくとも１つの商品に物理的に含まれる前記真水の量に基づき、真水の現行インデックス値を決定するステップと、
それにより、真水の安定価格を表す安定したインデックス値を作成するステップと
を含む方法。
【請求項５】
前記少なくとも１つの商品を生産するために利用される水量を測定するステップと、
前記少なくとも１つの商品を生産するために利用される水量を記憶するステップと、
コンピュータを用いて、前記少なくとも１つの商品を生産するために利用される水量にも基づき、現行インデックスを決定するステップと
をさらに含む、請求項４に記載の方法。
【請求項６】
前記少なくとも１つの商品の各々の市場重みにも基づき、真水の現行インデックス値を計算するステップをさらに含む、請求項４に記載の方法。
【請求項７】
少なくとも１つの食用作物を前記少なくとも１つの商品として用いるステップをさらに含む、請求項４に記載の方法。
【請求項８】
真水の特定量に関して発行可能な金融証券の価格を決定し、コンピュータ・プロセッサを用いてその価格を真水のインデックス値と真水の特定量とから計算するステップと、
その額面に真水の量を特定する金融証券を発行するステップであって、前記真水の量の価格が、前記真水の量および前記真水の安定的な価格の関数であるステップと
をさらに含む、請求項４に記載の方法に基づく投資方法。
【請求項９】
前記金融証券の額面の真水の量の担保として真水を用いるステップをさらに含む、請求項８に記載の方法。
【請求項１０】
真水への投資に関して安定したインデックス値を作成する方法であって、
水ではない少なくとも１つの製品に物理的に含まれる真水の量を測定するステップと、
前記物理的に含まれる真水の量をコンピュータに記憶するステップと、
前記少なくとも１つの製品を生産するために利用される水量を測定するステップと、
前記少なくとも１つの製品を生産するために利用される水量をコンピュータのメモリに記憶するステップと、
コンピュータに、前記少なくとも１つの製品の現行価格に関するデータを取得させるステップと、
コンピュータを用いて真水のインデックス値を決定して、現行価格に基づき、さらに（ｉ）物理的に含まれる前記真水の量と、（ｉｉ）前記少なくとも１つの製品を生産するために利用される前記水量とのうち、少なくとも１つに基づき、前記インデックス値を計算するステップと
を含む方法。
【請求項１１】
リアルタイムで現行価格に関するデータを更新するステップをさらに含む、請求項１０に記載の方法。
【請求項１２】
真水の特定量に関して発行可能な金融証券の価格を決定し、コンピュータ・プロセッサを用いてその価格を真水のインデックス値と真水の特定量とから計算するステップと、
その額面に真水の量を特定する金融証券を発行するステップであって、前記真水の量の価格が、前記真水の量および前記真水の安定的な価格の関数であるステップと
をさらに含む、請求項１０に記載の方法に基づく投資方法。
【請求項１３】
前記金融証券の額面の真水の量の担保として真水を用いるステップをさらに含む、請求項１２に記載の方法。
【請求項１４】
真水の安定した価格を取得する方法であって、
水ではない少なくとも１つの製品を生産するために利用される水量を測定するステップと、
前記少なくとも１つの製品を生産するために利用される水量をコンピュータに記憶するステップと、
コンピュータに、前記少なくとも１つの製品の現行価格に関するデータを取得させ記憶させるステップと、
コンピュータを用いて、前記少なくとも１つの製品の現行価格に基づき、さらに、前記少なくとも１つの製品を生産するために利用される前記水量に基づき、真水の現行インデックス値を決定するステップと、
それにより、真水の安定価格を表す安定したインデックス値を作成するステップと
を含む方法。
【請求項１５】
前記少なくとも１つの製品に物理的に含まれる真水の量を測定するステップと、
前記少なくとも１つの製品に物理的に含まれる真水の量を記憶するステップと、
前記コンピュータを用いて、前記少なくとも１つの製品に物理的に含まれる真水の量にも基づき、現行インデックスを決定するステップと
をさらに含む、請求項１４に記載の方法。
【請求項１６】
真水の特定量に関して発行可能な金融証券の価格を決定し、コンピュータ・プロセッサを用いて、その価格を真水のインデックス値と真水の特定量とから計算するステップと、
その額面に真水の量を特定する金融証券を発行するステップであって、前記真水の量の価格が、前記真水の量および前記真水の安定的な価格の関数であるステップと
をさらに含む、請求項１４に記載の方法に基づく投資方法。
【請求項１７】
前記金融証券の額面の真水の量の担保として真水を用いるステップをさらに含む、請求項１６に記載の方法。
【請求項１８】
前記少なくとも１つの製品の各々の市場重みにも基づき、真水の現行インデックス値を計算するステップをさらに含む、請求項１４に記載の方法。
【請求項１９】
少なくとも１つの製品に関して真水の量を測定することにより、真水への投資に関して安定したインデックス値を作成する方法であって、
（ａ）以下の測定ステップ（ｉ）と（ｉｉ）、すなわち
（ｉ）水ではない少なくとも１つの製品に物理的に含まれる真水の量を評価するステップと、
（ｉｉ）前記少なくとも１つの製品を生産するために利用される水量を評価するステップとのうちの少なくとも１つを行い、それによって取得された１以上の量をコンピュータに記憶するステップとのうち、少なくとも１つのステップを行い、それにより取得された１以上の量をコンピュータに記憶するステップと、
（ｂ）前記少なくとも１つの製品に対して物理的プロセスを行い、前記物理的プロセスの出力である水量を測定し、その量をコンピュータに記憶するステップと、
（ｃ）コンピュータに、前記少なくとも１つの製品の現行価格に関するデータを取得させ記憶させるステップと、
コンピュータを用いて、前記少なくとも１つの製品の現行価格と前記物理的プロセスからの出力である水量に基づき、さらに、（ｉ）前記少なくとも１つの製品に物理的に含まれる前記真水の量と（ｉｉ）前記少なくとも１つの製品を生産するために利用される水量とのうちの少なくとも１つに基づき、真水の現行インデックス値を決定するステップと
を含む方法。
【請求項２０】
前記物理的プロセスとして、前記少なくとも１つの製品の燃焼を利用するステップをさらに含む、請求項１９に記載の方法。
【請求項２１】
少なくとも１つの製品に関して水量を測定することにより、真水に関して安定したインデックス値を作成する方法であって、
（ａ）以下のステップ、すなわち
（ｉ）水ではない少なくとも１つの製品に物理的に含まれる真水の量を評価して、その真水の量をコンピュータに記憶するステップと、
（ｉｉ）前記少なくとも１つの製品を生産するために利用される水量を評価して、その水の量をコンピュータに記憶するステップと、
（ｉｉｉ）前記少なくとも１つの製品に対して物理的なプロセスを行い、前記物理的プロセスの出力である水量を測定するステップとのうちの少なくとも１つを行うステップと、
（ｂ）コンピュータに、前記少なくとも１つの製品の現行価格に関するデータを取得させ記憶させるステップと、
（ｃ）コンピュータを用いて、前記少なくとも１つの製品の現行価格に基づき、さらに、前記少なくとも１つの製品に物理的に含まれる前記真水の量と、前記少なくとも１つの製品を生産するために利用される水量とのうちの少なくとも１つに基づき、真水の現行インデックス値を決定するステップと、
それにより、真水の安定価格を表す安定したインデックス値を作成するステップと
を含む方法。
【請求項２２】
前記物理的プロセスとして、前記少なくとも１つの製品の燃焼を利用するステップをさらに含む、請求項２１に記載の方法。
【請求項２３】
商品生産物の価格から真水の安定価格を作成するためのシステムであって、
ａ）プロセッサを有するシステムコンピュータであって、
真水を含む取引される製品を識別するデータを受信し、また、その生産に水を利用する取引される製品を識別するデータを受信するように構成され、
複数の取引される製品について現行価格のデータを提供する商品取引所に関連するコンピュータとリアルタイムで通信するように構成され、
複数の取引される製品の現行価格のデータから、その生産に水を利用する取引される製品ごとに、また真水を含む取引される製品ごとに、現行価格のデータを取得するように構成されたシステムコンピュータと、
真水を含む各取引される製品に物理的に含まれる真水の量を測定するための装置と、
ｂ）各取引される製品に物理的に含まれる真水の量と、水の現行インデックス値とのうちの少なくとも１つを記憶するように構成された前記システムコンピュータのメモリと
を備える、システムであって、
前記プロセッサは、各取引される製品の現行価格に基づき、前記各取引される製品に物理的に含まれる真水の量に基づき、さらに、前記各取引される製品の生産に利用される前記水量に基づき、真水の現行インデックス値を計算するように構成され、それにより、前記システムコンピュータは、前記複数の取引される製品の現行価格から、真水の安定した価格を表す水の現行インデックス値を作成するように構成されたシステム。
【請求項２４】
前記システムコンピュータはまた、各取引された製品の市場重みについて更新可能なデータを受信するように構成され、
前記プロセッサはまた、前記各取引された製品の市場重みにも基づき、真水の現行インデックス値を計算するように構成された、請求項２３に記載のシステム。
【請求項２５】
前記市場重みについて更新可能なデータは、地理的地域に関するデータである、請求項２４に記載のシステム。
【請求項２６】
真水の安定価格を商品として利用するように構成された、真水の水源からなる担保に関連する金融証券をさらに備えた、請求項２３に記載のシステム。
【請求項２７】
前記プロセッサは、前記取引される製品ごとに、１以上の数学的手法を、前記各取引される製品に物理的に含まれる前記真水の量と、前記各取引される製品の生産に利用される前記水量と、前記各取引される製品の価格とに適用することにより、水の現行インデックス値を計算するように構成された、請求項２３に記載のシステム。
【請求項２８】
前記メモリはまた、少なくとも１つの製品に物理的に含まれる前記真水の量と、前記少なくとも１つの製品の生産に利用される前記水量と、前記少なくとも１つの製品の価格とのうちの少なくとも１つを記憶するように構成された、請求項２３に記載のシステム。
【請求項２９】
前記メモリはまた、少なくとも１つの製品に物理的に含まれる前記真水の量と、前記少なくとも１つの製品の生産に利用される前記水量とのうちの少なくとも１つを記憶するように構成された、請求項２３に記載のシステム。
【請求項３０】
前記少なくとも１つの取引される製品は公に取引される商品である、請求項２３に記載のシステム。
【請求項３１】
前記少なくとも１つの取引される製品は少なくとも１つの農業商品である、請求項２３に記載のシステム。
【請求項３２】
取引される製品は、農業商品、生産商品、および燃料のうちの少なくとも１つの商品を含む、請求項２３に記載のシステム。
【請求項３３】
前記インデックス値はさらに、前記各取引される製品からの出力量と、前記各取引される製品の構成量に依存する、請求項２３に記載のシステム。
【請求項３４】
前記各取引される製品の生産に利用される前記水量は、前記各取引される製品の一部である水量を含まない、請求項２３に記載のシステム。
【請求項３５】
その金融証券の取引が、真水の量と、前記プロセッサにより計算されたインデックス値とから計算された価格に依存するように、その額面に真水の量を記載した金融証券をさらに備えた、請求項２３に記載のシステム。
【請求項３６】
水に投資するために投資証券を利用する方法であって、
真水のインデックス値を決定し、少なくとも１つの取引可能製品の価格に基づき、さらに、（ｉ）前記少なくとも１つの取引可能製品に物理的に含まれる前記真水の量と、（ｉｉ）前記少なくとも１つの取引可能製品を生産するために利用される前記水量のうちの少なくとも１つに基づき、コンピュータ・プロセッサを用いて前記インデックス値を計算するステップであって、前記インデックス値を、１以上の数学的手法を用いて、前記価格と、前記含まれる真水の量、あるいは前記生産に利用される水量とを数学的に組み合わせることにより計算するステップと、
真水の特定量に対して発行可能な金融証券の価格を決定して、コンピュータ・プロセッサを用いて、前記真水のインデックス値と、前記真水の特定量から価格を計算するステップと、
その額面に真水の特定量を特定する金融証券を発行するステップと
を含む、方法。
【請求項３７】
前記金融証券の額面上の真水の量の担保として真水を用いるステップをさらに含む、請求項３６に記載の方法。
【請求項３８】
真水の特定量に関して発行可能な金融証券の価格を決定し、コンピュータ・プロセッサを用いてその価格を真水のインデックス値と真水の特定量とから計算するステップと、
その額面に真水の量を特定する金融証券を発行するステップであって、前記真水の量の価格が、前記真水の量および前記真水の安定的な価格の関数であるステップと
をさらに含む、請求項１９に記載の方法に基づく投資方法。
【請求項３９】
前記金融証券の額面上の真水の量の担保として真水を用いるステップをさらに含む、請求項３８に記載の方法。
【請求項４０】
真水の特定量に関して発行可能な金融証券の価格を決定し、コンピュータ・プロセッサを用いてその価格を真水のインデックス値と真水の特定量とから計算するステップと、
その額面に真水の量を特定する金融証券を発行するステップであって、前記真水の量の価格が、前記真水の量および前記真水の安定的な価格の関数であるステップと
をさらに含む、請求項２１に記載の方法に基づく投資方法。
【請求項４１】
前記金融証券の額面上の真水の量の担保として真水を用いるステップをさらに含む、請求項４０に記載の方法。
【請求項４２】
商品生産物の価格から真水の安定価格を作成するためのシステムであって、
ａ）プロセッサを有するシステムコンピュータであって、
物理的プロセスからの水の出力を有する製品を識別するデータを受信するように構成され、
複数の取引される製品について現行価格のデータを提供する商品取引所に関連するコンピュータとリアルタイムで通信するように構成され、
複数の取引される製品の各々について、現行価格のデータを取得するように構成されたシステムコンピュータと、
前記複数の取引される製品の各々に対して行われる物理的プロセスの出力である水の量を測定するための装置と、
ｂ）前記出力である水の量と、水の現行インデックス値とのうちの少なくとも１つを記憶するように構成された前記システムコンピュータのメモリと
を備える、システムであって、
前記プロセッサは、前記複数の取引される製品の各々の現行価格に基づき、また前記複数の取引される製品の各々に対して行われる物理的プロセスの出力である水の量に基づき、真水の現行インデックス値を計算するように構成され、それにより、前記システムコンピュータは、前記複数の取引される製品の現行価格データから、真水の安定した価格を表す水の現行インデックス値を作成するように構成されたシステム。